(57)【要約】【課題】未来の経営状況を予測する。【解決手段】経営支援システムは、時系列情報の現周期を示す現推移グラフと、この時系列情報の前周期を示す前推移グラフとが、現周期の時間軸成分と、この時間軸成分の１周期前に対応する前周期の時間軸成分とが同じ位置となるように、並べられた比較グラフを表示させるグラフ表示制御手段を備える。グラフ表示制御手段は、前推移グラフを、現周期における未来に対応する部分を含んで表示させる。【選択図】図１２
2018022434.tif 000002
【特許請求の範囲】
【請求項１】
時系列情報の現周期を示す現推移グラフと当該時系列情報の前周期を示す前推移グラフとが、前記現周期の時間軸成分と当該時間軸成分の１周期前に対応する前記前周期の時間軸成分とが同じ位置となるように、並べられた比較グラフを表示させるグラフ表示制御手段を備え、
前記グラフ表示制御手段は、前記前推移グラフを、当該現周期における未来に対応する部分を含んで表示させる、
ことを特徴とする情報表示システム。
【請求項２】
ユーザ操作に応じてカーソルが前記現推移グラフ上を該現推移グラフに沿って移動するように前記カーソルを表示させるカーソル表示制御手段と、
前記現推移グラフの時間軸成分毎に対応付けて記憶されている現コメント情報と前記前推移グラフの時間軸成分毎に対応付けて記憶されている前コメント情報とを同一画面上に表示させるコメント表示制御手段と、を備え、
前記コメント表示制御手段は、前記カーソルの表示位置に対応した時間軸成分に対応付けられている前記現コメント情報と前記前コメント情報とを表示させる、
ことを特徴とする請求項１に記載の情報表示システム。
【請求項３】
前記時系列情報および当該時系列情報の時間軸成分毎に対応付けられたコメント情報とを記憶する記憶手段と、
前記時系列情報と、前記コメント情報を入力するためのコメント入力欄とを画面表示し、前記コメント入力欄に入力された前記コメント情報を前記記憶手段に記憶させる表示制御手段と、を備える、
ことを特徴とする請求項２に記載の情報表示システム。
【請求項４】
前記記憶手段は、前記コメント情報の属性を示す属性情報を記憶し、
前記表示制御手段は、前記現コメント情報に加えて、前記属性情報を表示し、前記前コメント情報に加えて、前記属性情報を表示する、
ことを特徴とする請求項３に記載の情報表示システム。
【請求項５】
時系列情報の着目期間を示す第１推移グラフと当該時系列情報の当該着目期間の１周期前である対比期間を示す第２推移グラフとが、前記着目期間の時間軸成分と当該時間軸成分の１周期前に対応する前記対比期間の時間軸成分とが同じ位置となるように、並べられた比較グラフを表示させるグラフ表示制御手段を備え、
前記グラフ表示制御手段は、前記第２推移グラフを、当該着目期間における未来に対応する部分を含んで表示させる、
ことを特徴とする情報表示システム。
【請求項６】
ユーザ操作に応じてカーソルが前記第１推移グラフ上を該第１推移グラフに沿って移動するように前記カーソルを表示させるカーソル表示制御手段と、
前記第１推移グラフの時間軸成分毎に対応付けて記憶されている第１コメント情報と前記第２推移グラフの時間軸成分毎に対応付けて記憶されている第２コメント情報とを同一画面上に表示させるコメント表示制御手段と、を備え、
前記コメント表示制御手段は、前記カーソルの表示位置に対応した時間軸成分に対応付けられている前記第１コメント情報と前記第２コメント情報とを表示させる、
ことを特徴とする請求項５に記載の情報表示システム。
【請求項７】
前記時系列情報および当該時系列情報の時間軸成分毎に対応付けられたコメント情報とを記憶する記憶手段と、
前記時系列情報と、前記コメント情報を入力するためのコメント入力欄とを画面表示し、前記コメント入力欄に入力された前記コメント情報を前記記憶手段に記憶させる表示制御手段と、を備える、
ことを特徴とする請求項６に記載の情報表示システム。
【請求項８】
前記記憶手段は、前記コメント情報の属性を示す属性情報を記憶し、
前記表示制御手段は、前記第１コメント情報に加えて、前記属性情報を表示し、前記第２コメント情報に加えて、前記属性情報を表示する、
ことを特徴とする請求項７に記載の情報表示システム。
【請求項９】
コンピュータを、
時系列情報の現周期を示す現推移グラフと当該時系列情報の前周期を示す前推移グラフとが、前記現周期の時間軸成分と当該時間軸成分の１周期前に対応する前記前周期の時間軸成分とが同じ位置となるように、並べられた比較グラフを表示させると共に、前記前推移グラフを、当該現周期における未来に対応する部分を含んで表示させるグラフ表示制御手段、
として機能させるためのプログラム。
【発明の詳細な説明】
【技術分野】
【０００１】
本発明は、情報表示システムおよびプログラムに関する。
【背景技術】
【０００２】
従来、飲食業や小売業の個人事業主や法人オーナーは、店舗の日別・月別の売上集計や分析を行う売上管理装置や売上管理プログラム等の業務用アプリケーションプログラム等を使用することが多い。このようにして可視化された経営データに基づき、好適に事業運営を行うことができる。
【０００３】
そのような売上管理装置として、例えば特許文献１に記載の技術がある。特許文献１には、指定された対象日および比較日における経営データに基づき、対象日における売上金額、客数および客単価等の比較日からの変化を示す指標値を算出し、当該指標値を表示する技術が提案されている。
【先行技術文献】
【特許文献】
【０００４】
【特許文献１】特開２０１１−０６５３４０号公報
【発明の概要】
【発明が解決しようとする課題】
【０００５】
店舗経営にあたり、未来の経営状況を予測して対処することは極めて重要である。未来予測にあたっては、例えば年度周期や月度周期で同様な事象が繰り返すことを利用することが考えられる。しかし、特許文献１に記載の技術では、将来の指標値を予測することはできない。そのため、現在の指標値に基づき経営データの変化を把握し、その変化の原因を考察できたとしても、未来を予測して対処することは困難であった。
【０００６】
そこで、本発明は、情報表示システムおよびプログラムについて、時系列情報の予測を可能とすることを課題とする。
【課題を解決するための手段】
【０００７】
本発明は、上記目的を達成するため、
時系列情報の現周期を示す現推移グラフと当該時系列情報の前周期を示す前推移グラフとが、前記現周期の時間軸成分と当該時間軸成分の１周期前に対応する前記前周期の時間軸成分とが同じ位置となるように、並べられた比較グラフを表示させるグラフ表示制御手段を備え、
前記グラフ表示制御手段は、前記前推移グラフを、当該現周期における未来に対応する部分を含んで表示させる、
ことを特徴とする情報表示システムである。
【発明の効果】
【０００８】
本発明によれば、時系列情報の予測が可能となる。
【図面の簡単な説明】
【０００９】
【図１】本実施形態の経営支援システムを示す概略構成図である。
【図２】サーバの機能構成を示すブロック図である。
【図３】記憶部に記憶される経営データテーブルを示す図である。
【図４】会計サービスのみ加入時における日報画面の一例を示す図である。
【図５】会計サービスのみ加入時における日報プリントの一例を示す図である。
【図６】会計／給与サービス加入時における日報画面の一例を示す図である。
【図７】会計／給与サービス加入時における日報プリントの一例を示す図である。
【図８】サーバにより行われるコメント入力処理の一例を示すフローチャートである。
【図９】日報の一覧表示画面のうち検索条件ペインを示す図である。
【図１０】日報の一覧表示画面のうち一覧表示の一例を示す図である。
【図１１】指標分析画面のうち経営データ表の一例を示す図である。
【図１２】指標分析画面のうち指標分析グラフの一例を示す図である。
【図１３】サーバにより行われる指標分析表示処理の一例を示すフローチャートである。
【図１４】指標分析グラフの概念を示す図である。
【発明を実施するための形態】
【００１０】
以降、本発明を実施するための形態を、各図を参照して詳細に説明する。
《経営支援システム１の構成》
図１は、本実施形態の経営支援システム１を示す概略構成図である。
本実施形態の経営支援システム１（情報表示システム）は、経営データおよびコメント情報に基づき、経営の考察をしやすくするシステムである。この経営支援システム１は、ユーザが経営する店舗や会社等の経営データと、日々の経営に対してユーザにより入力されるコメント情報とを記憶する。
この経営データは、時系列的に収集される情報であり、１年周期で同様な変化が繰り返されることが多い。
【００１１】
図１に示すように、経営支援システム１は、経営支援装置であるサーバ装置２と、印刷装置３１と、ユーザ端末３ａ〜３ｄを備えて構成され、各装置が通信ネットワークＮを介して通信接続される。ユーザ端末３ａ〜３ｄは、例えば、ユーザが操作するスマートフォンやタブレット端末やパーソナルコンピュータである。以下、各ユーザ端末３ａ〜３ｄを特に区別しないときには、単にユーザ端末３と記載する。
【００１２】
サーバ装置２は、ユーザ端末３から経営データを収集・集計・記録し、記録した経営データを管理すると共にユーザ端末３から入力される、日付に対応したコメント情報を記録して管理する。サーバ装置２は更に、ユーザ端末３からの要求に応じて、ユーザがコメント情報を入力する日報画面５Ａ，５Ｂ（図４、図６参照）、一覧表示画面７（図９、図１０参照）、経営データやコメント情報を表示する指標分析画面８などをユーザ端末３に配信する。
【００１３】
ユーザ端末３は、蓄積された経営データや入力されたコメント情報等をサーバ装置２へ送信する。これらのユーザ端末３は、サーバ装置２から送信される各種表示情報を受信して表示し、またユーザの操作入力を受け付けてその操作情報をサーバ装置２へ送信する。なお、ユーザ端末３は、電子レジスタまたはＰＯＳ（point of sales system）端末等の専用端末であってもよい。
印刷装置３１は、ユーザ端末３からの印刷指示に基づき、各種情報を印刷する。
【００１４】
通信ネットワークＮは、インターネットにより構成されているものとするが、ＬＡＮ（Local Area Network）、ＷＡＮ（Wide Area Network）等を含めてもよく、電話回線、専用線、移動体通信網、通信衛星網、ＣＡＴＶ（Cable Television）回線等を含めてもよい。
【００１５】
《サーバ装置２の構成》
次いで、図２と図３を参照しつつ、サーバ装置２の内部構成を説明する。
図２は、サーバの機能構成を示すブロック図である。
図２に示すように、サーバ装置２は、ＣＰＵ（Central Processing Unit）２１と、操作入力部２２と、ＲＡＭ（Random Access Memory）２３と、表示部２４と、記憶部２５と、通信部２６と、計時部２７と、を備えて構成され、各部がバス２８を介して接続されている。
【００１６】
ＣＰＵ２１は、記憶部２５に記憶されているシステムプログラムを読み出し、ＲＡＭ２３のワークエリアに展開し、当該システムプログラムに従って各部を制御する。また、ＣＰＵ２１は、記憶部２５に記憶されている処理プログラムを読み出してワークエリアに展開し、後述するコメント入力処理および指標分析表示処理のサーバ装置２側の処理を始めとする各種処理を実行し、表示制御部として機能する。
【００１７】
操作入力部２２は、カーソルキー、文字、数字入力キーおよび各種機能キー等を備えたキーボードを含む構成とし、ユーザによる各キーの押下入力を受け付けてその操作情報をＣＰＵ２１に出力する。また、操作入力部２２は、マウス等のポインティングデバイスを含み、位置入力を受け付けて操作情報としてＣＰＵ２１に出力することとしてもよい。
【００１８】
ＲＡＭ２３は、揮発性のメモリである。また、ＲＡＭ２３は、実行される各種プログラムやこれら各種プログラムに係るデータ等を格納するワークエリアを有する。
【００１９】
表示部２４は、ＬＣＤ（Liquid Crystal Display）、ＣＲＴ（Cathode Ray Tube）等で構成され、ＣＰＵ２１からの表示制御信号に従って画面表示を行う。
【００２０】
記憶部２５は、磁気記録媒体からなるＨＤＤ（Hard Disk Drive）やフラッシュメモリ等の不揮発性記憶媒体により構成される。記憶部２５には、ＣＰＵ２１で実行されるシステムプログラムや処理プログラム、Ｗｅｂサーバプログラム等のアプリケーションプログラム、これらのプログラムの実行に必要なデータ等が記憶されている。処理プログラムには、後述するコメント入力処理、指標分析表示処理のサーバ装置２側の処理を始めとする各種処理を実行するためのプログラムが含まれる。
これらのプログラムは、コンピュータ読み取り可能なプログラムコードの形態で記憶部２５に格納されている。ＣＰＵ２１は、当該プログラムコードに従った動作を逐次実行する。
【００２１】
また、記憶部２５は、ユーザ端末３（図１参照）から送信される各種データを記憶する。例えば、記憶部２５は、ユーザ端末３から送信される経営データを、図３に示す経営データテーブルに記憶する。経営データとしては、例えば、日付、売上、客数、客単価、仕入、原価率、粗利、粗利率、経費、人件費、ＦＬ比率等が記憶される。なお、人件費には、従業員の給与等の詳細な内訳が含まれる。ここでＦＬ比率とは、材料費と人件費の和を売上高で除算した比率であり、飲食店における重要な経営指標のひとつである。
【００２２】
また、記憶部２５は、図３に示す経営データテーブルに、日付に対応するユーザ端末３から入力され送信されるコメント情報、および、このコメント情報の属性を示す属性情報を記憶する。属性情報には、各コメント情報の重要度を示す重要度情報、各コメントに対応する日付の天気情報、ポジティブな事柄があったことを示す「いいね」情報、改善すべき事柄があったことを示すクレーム情報がある。「いいね」情報は、例えば顧客や取引先からの賞賛やスタッフ間、店舗運営などでポジティブな事柄があったときのコメント情報を探す際に利用できる。クレーム情報は、例えば顧客や取引先から苦情を受けるなど、改善すべき事柄があったときのコメント情報を探す際に利用できる。
【００２３】
コメント情報は、日付に対応してユーザにより入力される文章の情報であり、当該日付の営業終了後に入力されることが好ましい。そのようなコメント情報としては、例えば、日々の経営の中でユーザが気付いた出来事や、経営を改善するためにユーザが行った施策等を挙げることができる。また、重要度情報は、入力されたコメント情報の重要度を示す情報であり、ユーザの選択により３段階でランク付けされる。天気情報は、雨であったか否かを示す情報である。「いいね」情報は、ポジティブな事柄があったことを示す情報である。クレーム情報は、改善すべき事柄があったことを示す情報である。
【００２４】
更に、記憶部２５は、ユーザ端末３からコメント情報とともに画像データまたはＰＯＰデータが入力され送信された場合には、当該画像データまたはＰＯＰデータをコメントの付加情報として記憶する。
画像データとしては、例えば、ユーザ端末３等により撮影された店舗内の写真や、ユーザが配布したチラシの画像等を挙げることができる。ＰＯＰデータとしては、例えば、経営支援システム１がＰＯＰ作成業務を行うアプリケーションプログラムを実行し、作成したＰＯＰのデータ等が挙げられる。
【００２５】
通信部２６は、モデム、ＴＡ（Terminal Adapter）、ルータ、ネットワークインタフェース・コントローラ等により構成される。通信部２６は、通信ネットワークＮ上のユーザ端末３等の外部機器と通信接続してデータ送受信を行う。
計時部２７は、計時回路を内蔵し、現在の時刻および日付を計時して現在の時刻情報として出力する。
【００２６】
図３は、記憶部２５に記憶される経営データテーブルを示す図である。
経営データテーブルは、日付欄、売上欄、客数欄、客単価欄、仕入欄、原価率欄、粗利欄、粗利率欄、経費欄、人件費欄、ＦＬ比率欄を含んでいる。経営データテーブルは更に、重要度欄、「いいね」情報欄、クレーム欄、天気欄、コメント欄を含んでいる。これら重要度欄、「いいね」情報欄、クレーム欄、天気欄に格納される情報は、コメントの属性情報である。
【００２７】
《サーバ装置２の動作》
上記のように構成されるサーバ装置２は、コメント入力処理および指標分析表示処理を行う。まず、図４〜図８を参照してコメント入力処理について説明する。
図４は、会計サービスのみ加入時における日報画面５Ａの一例を示す図である。この日報画面５Ａは、ユーザ端末３の表示部（不図示）に表示される。
日報画面５Ａは、アイコンエリア４１およびメニューエリア４２の下側に表示される。アイコンエリア４１には、ＴｏＤｏアイコン４１１、会計アイコン４１２、経営アイコン４１３、給与アイコン４１４、ＰＯＰアイコン４１５、売上集計管理アイコン４１６が表示される。メニューエリア４２には、実績メニュー４２１と分析メニュー４２２とが表示される。
【００２８】
ＴｏＤｏアイコン４１１は、ＴｏＤｏタスクを管理する機能を呼び出すものである。
会計アイコン４１２は、店舗に係る入出金を管理し、固定資産税や個人事業税等の納税処理を行う会計サービス機能を呼び出すものである。この会計サービス機能は、飲食店運営者に対する基本サービスであり、この会計サービス機能により、仕入れ、売上、客数など経営分析に必要なデータが入力される。
経営アイコン４１３は、前記した売上管理業務にかかる情報による経営分析機能を呼び出すものである。この経営分析機能は、会計サービス機能とセットでユーザに提供される。
以下で説明する給与アイコン４１４、ＰＯＰアイコン４１５、売上集計管理アイコン４１６はオプション機能である。給与アイコン４１４は、従業員の給与計算の処理を行う給与管理業務機能や、就業管理機能を呼び出すものである。これら給与管理業務機能や、就業管理機能により、就業実績に必要なデータが入力される。
ＰＯＰアイコン４１５は、商店等に用いられる販売促進のための広告媒体であるＰＯＰ（Point of purchase advertising）を作成するＰＯＰ作成業務機能を呼び出すものである。売上集計管理アイコン４１６は、各レジの売上登録データを集計して「会計」へデータ連携する機能を呼び出すものである。
【００２９】
この日報画面５Ａは、経営アイコン４１３が選択され、かつ実績メニュー４２１が選択されたときに表示される画面である。この日報画面５Ａには、口座連携ボタン５１、レシートボタン５２、ＴｏＤｏボタン５３が表示される。更にその下側に一覧表示ボタン５４と日付選択ボタン５５が表示され、その下側に会計エリア５７と「今日の出来事」エリア５８とが表示されている。
なお、日報画面５Ａにおいて分析メニュー４２２が選択されたとき、後記する指標分析画面８（図１１参照）に遷移する。
【００３０】
口座連携ボタン５１、レシートボタン５２、ＴｏＤｏボタン５３は、残件エリアを構成する。口座連携ボタン５１の右上には、入出金に係る未処理情報の件数が表示される。口座連携ボタン５１が選択されると、経営支援システム１が連携しているユーザの金融機関の口座からの自動引き落としの情報等を確認することができる。
レシートボタン５２の右上には、未処理レシート等の件数が表示される。このレシートボタン５２が選択されると、ユーザ端末３で撮影され保存された、商品購入時等のレシートの画像データを確認することができる。
ＴｏＤｏボタン５３の右上には、未処理のＴｏＤｏ件数が表示される。このＴｏＤｏボタン５３が選択されると、経営支援システム１で実行されるアプリケーションプログラムを用いて処理する業務のうち、事業決算や申告、給与支給の処理等、所定の時期に処理すべき、または処理しなければならない業務を確認することができる。
これら残件エリアが、日報画面５Ａなどに表示されることで、ユーザは、経営支援システム１を用いて実行される他の業務の確認や処理を進めながら、コメント情報を入力することができる。
【００３１】
一覧表示ボタン５４は、後記する一覧表示画面７（図９、図１０参照）に遷移するボタンである。日付選択ボタン５５は、日報に係る日付を選択するボタンである。ユーザが日付選択ボタン５５のうち、もっとも左側のボタンを選択すると、ＣＰＵ２１は、対象年月日を１週間前の日付に変更する。ユーザが左から２番目のボタンを選択すると、ＣＰＵ２１は、対象年月日を１日前の日付に変更する。
ユーザが日付そのものを選択すると、ＣＰＵ２１は、カレンダーコントロールを表示して、任意の日付への変更を可能とする。ユーザが右から２番目のボタンを選択すると、ＣＰＵ２１は、対象年月日を１日後の日付に変更する。ユーザがもっとも右側のボタンを選択すると、ＣＰＵ２１は、対象年月日を１週間後の日付に変更する。
これら日付選択ボタン５５により日付を変更すると、会計エリア５７と「今日の出来事」エリア５８とが、該当する日付のものに変更される。
【００３２】
会計エリア５７には、日付選択ボタン５５で選択した日付で取得された経営データの数値等が表示されており、更に「取引入力へ」ボタン５７１が表示されている。ここでは経営データとして、売上、客数、客単価、人件費、仕入、経費、ＦＬ比が表示されている。
この「取引入力へ」ボタン５７１をクリックすることで、不図示の取引入力画面に遷移する。
【００３３】
「今日の出来事」エリア５８には、コメント入力テキストボックス５８５、「重要」入力ボタン５８１、「いいね」チェックボックス５８２、「クレーム」チェックボックス５８３、「雨」チェックボックス５８４、付加情報入力ボタン５８６、保存ボタン５８７が表示されている。この「今日の出来事」エリア５８は、選択された日付に対応するコメント情報を入力するためのものである。
【００３４】
コメント入力テキストボックス５８５は、この日付に対応するコメント情報を入力するテキストボックスであり、初期状態において「メモ、コメントなどを書き留めておきましょう。」と表示される。なお、当該日付に対応するコメント情報が入力されているときには、そのコメント情報が編集可能に表示される。
【００３５】
「重要」入力ボタン５８１は、このコメント情報の属性として重要情報を入力するためのものである。例えばユーザが左から１番目の星マークをクリックすると重要度情報が「１」として入力され、２番目の星マークをクリックすると重要度情報が「２」として入力される。同様に、２番目の星マークをクリックすると重要度情報が「３」として入力される。デフォルトは、重要度情報が「０」である。
【００３６】
「いいね」チェックボックス５８２は、このコメント情報の属性としてポジティブな事柄があったことを入力するものである。「クレーム」チェックボックス５８３は、このコメント情報の属性として改善すべき事柄があったことを入力するものである。「雨」チェックボックス５８４は、選択された日付に雨が降ったか否かを入力するためのものである。
【００３７】
付加情報入力ボタン５８６は、画像データやＰＯＰデータ等の画像情報を入力するためのものである。右側の矩形内に「＋」表示されている部分をクリックすると、ファイル選択ダイアログが開く。なお、付加情報の数は５個までに制限されており、５個に達した場合には、「＋」表示の矩形は表示されなくなる。左側のハッチングを施した矩形は、アップロード画像のサムネイルを模式的に示したものである。このサムネイルをクリックすることで、ユーザは、フルサイズ画像を確認可能である。また、サムネイルの下側に表示されたバケツバタンをクリックすることで、ユーザは、アップロードした画像を削除可能である。
保存ボタン５８７は、この「今日の出来事」エリア５８に入力した内容を保存するボタンである。
【００３８】
図５は、会計サービスのみ加入時における日報プリント６Ａの一例を示す図である。
この日報プリント６Ａは、図４に示した日報画面５Ａにおいて、ユーザが不図示の印刷ボタンをクリックした際に、印刷装置３１によって印刷される。日報プリント６Ａは、日付欄６１、重要度欄６２、天候欄６３、今日の営業実績表６５、コメント欄６６を含んで表示している。
日付欄６１には、この日報の日付が印刷されている。重要度欄６２には、この日報のコメントに係る重要度が星印の数で印刷されている。天候欄６３には、傘のアイコンにより、この日報の日付における天気が雨であるかことが印刷されている。
今日の営業実績表６５には、この日報の日付における営業実績表が印刷されている。コメント欄６６には、この日報の日付におけるコメントが印刷されている。ユーザは、単にユーザ端末３の画面上で日報画面５Ａを確認するのみでなく、その日報をプリントしてファイルずることにより、日々の営業情報を蓄積することができる。
【００３９】
図６は、会計／給与サービス加入時における日報画面５Ｂの一例を示す図である。図４に示した日報画面５Ａと同一の要素には同一の符号を付与している。
この日報画面５Ｂには、日報画面５Ａ（図４参照）と同様に口座連携ボタン５１、レシートボタン５２、ＴｏＤｏボタン５３が表示され、その下に一覧表示ボタン５４と日付選択ボタン５５とが表示される。更に、給与エリア５６と、会計エリア５７と、「今日の出来事」エリア５８とが表示されている。
給与エリア５６には、日付選択ボタン５５で選択した日付で取得された給与データの数値等が表示されている。この給与エリア５６は、この経営支援システム１がタイムカード連携している／していないにかかわらず、出勤時刻が登録されている従業員が対象となる。
給与エリア５６以外は、日報画面５Ａと同様である。
以下、日報画面５Ａ，５Ｂを特に区別しないときには、単に日報画面５と記載する。
【００４０】
図７は、会計／給与サービス加入時における日報の印刷イメージの一例を示す図である。図５に示した日報プリント６Ａと同一の要素には同一の符号を付与している。
日報プリント６Ａは、日付欄６１、重要度欄６２、天候欄６３、今日の就業実績表６４、今日の営業実績表６５、コメント欄６６を含んで表示している。
今日の就業実績表６４には、日付欄６１の日付で取得された給与データの数値等が表示されている。それ以外は、日報プリント６Ａと同様である。
以下、日報プリント６Ａ，６Ｂを特に区別しないときには、単に日報プリント６と記載する。
【００４１】
図８は、サーバにより行われるコメント入力処理の一例を示すフローチャートである。
図８に示すように、サーバ装置２のＣＰＵ２１は、通信部２６により、ユーザ端末３からの日報画面５へのアクセス要求が受信されると、ユーザ端末３からの操作情報に基づいて日付を選択する（ステップＳ１０）。
【００４２】
次に、ＣＰＵ２１は、このユーザ端末３に係るユーザが給与サービスに加入しているか否かを判断する（ステップＳ１１）。ＣＰＵ２１は、ユーザが給与サービスに加入しているならば（ステップＳ１１→Ｙｅｓ）、記憶部２５から、選択された日付の給与データを取得する（ステップＳ１２）。ＣＰＵ２１は更に、この給与データを日報画面５に表示する（ステップＳ１３）。
ＣＰＵ２１は、ユーザが給与サービスに加入していなかったならば（ステップＳ１１→Ｎｏ）、ステップＳ１４の処理に進む。
【００４３】
ステップＳ１４において、ＣＰＵ２１は、記憶部２５から、日報画面５に表示するため、選択された日付の経営データを取得する。ＣＰＵ２１は、この経営データを日報画面５に表示する（ステップＳ１５）。次に、ＣＰＵ２１は、コメント情報を入力するためのコメント入力テキストボックス５８５と属性情報を入力するための属性入力欄を日報画面５に表示させる（ステップＳ１６）。
【００４４】
ステップＳ１７において、ユーザは、ユーザ端末３に表示された日報画面５において、経営データを確認しながら、選択された日付の経営の中で気付いた出来事や行った施策等をコメント入力テキストボックス５８５に入力する。また、ユーザは、コメント入力テキストボックス５８５に入力したコメントの重要度を「重要」入力ボタン５８１により３段階で設定し、選択された日付において雨が降った場合には「雨」チェックボックス５８４にチェックを入れる。また、ユーザは、コメント入力テキストボックス５８５に入力したコメントに関連する画像データまたはＰＯＰデータがある場合には、付加情報入力ボタン５８６を選択して、この画像データまたはＰＯＰデータを入力する。
【００４５】
次にＣＰＵ２１は、保存ボタン５８７が押下（クリック）されたか否かを判定する（ステップＳ１８）。押下されたと判定されると（ステップＳ１８→ＹＥＳ）、ＣＰＵ２１は、入力されたコメント情報および属性情報等を記憶部２５に記憶させ（ステップＳ１９）、コメント入力処理を終了する。なお、画像データまたは／およびＰＯＰデータが入力された場合には、この画像データまたは／およびＰＯＰデータも記憶部２５に記憶させる。
このようにしてＣＰＵ２１は、コメント入力処理を行う。
【００４６】
《一覧表示処理》
以下、図９と図１０とを参照しつつ、一覧表示処理について説明する。
図９は、日報の一覧表示画面７のうち検索条件ペイン７１を示す図である。
一覧表示画面７は、図４と図６に示す日報画面５において、一覧表示ボタン５４がクリックされたときの遷移画面であり、メニューエリア４２の下側に表示される。この一覧表示画面７は、検索条件ペイン７１、検索ボタン７３、クリアボタン７４、検索オプションボタン７５、一覧表示７６（図１０参照）を含んで表示される。
検索条件ペイン７１は、期間欄７１１、曜日欄７１２、売上欄７１３、従業員数欄７１４、従業員欄７１５、重要欄７１６、「いいね」欄７１７、クレーム欄７１８、天気欄７１９、画像欄７２０、コメント欄７２１を含んでいる。
【００４７】
期間欄７１１は、検索期間を指定する欄であり、システムの年月日がデフォルトで設定される。ここではユーザにより、２０１６年５月１日から２０１６年５月３１日までの期間が設定されている。他の条件を設定しなかった場合、検索結果は３１日分の３１件となる。
期間欄７１１を２０１６年５月〜２０１６年６月とし、他の条件を設定しなかった場合、検索結果は５月分の３１日間と６月分の３０日間との和で、６１件となる。
曜日欄７１２は、曜日をチェックボックスで指定する欄であり、「指定しない」がデフォルトである。売上欄７１３は、１日の売上金額の範囲を指定する欄であり、「指定しない」がデフォルトである。なお売上欄７１３の左欄の値よりも右欄の値が常に大きくなるように入力値が規制されてきる。
【００４８】
従業員数欄７１４は、就業実績において出勤時刻が設定されている人数を条件として指定する欄であり、「指定しない」がデフォルトである。従業員欄７１５は、その日に勤務した従業員全員をプルダウン表示し。選択した従業員が出勤している日を条件とする欄であり、「指定しない」がデフォルトである。
重要欄７１６は、重要度を指定する欄であり、「指定しない」、「重要度０」、「重要度１」、「重要度２」、「重要度３」がプルダウン表示される。「指定しない」がデフォルトである。
「いいね」欄７１７は、「いいね」の有無を指定する欄であり、「指定しない」、「いいね」、「いいね無し」がプルダウン表示される。「指定しない」がデフォルトである。
クレーム欄７１８は、クレームの有無を指定する欄であり、「指定しない」、「クレーム」、「クレーム無し」がプルダウン表示される。「指定しない」がデフォルトである。
【００４９】
天気欄７１９は、天候は雨であったか否かを指定する欄であり、「指定しない」、「雨」、「雨以外」がプルダウン表示される。「指定しない」がデフォルトである。
画像欄７２０は、画像の有無を指定する欄であり、「指定しない」、「有り」、「無し」がプルダウン表示される。「指定しない」がデフォルトである。
コメント欄７２１は、入力されたコメントを部分一致検索する欄であり、「指定しない」がデフォルトである。
【００５０】
検索ボタン７３は、検索条件ペイン７１に設定された条件で検索を実行させるボタンである。クリアボタン７４は、検索条件ペイン７１をデフォルトの条件にクリアするボタンである。検索オプションボタン７５は、検索条件ペイン７１以外の検索条件を設定するためのボタンである。例えば検索オプションボタン７５がクリックされたとき、コメント欄に何も入力されていないことを条件指定する画面に検索してもよい。これにより、コメント入力がされていない日をリストアップして、事後的にコメントを入力することができる。
【００５１】
図１０は、日報の一覧表示画面７のうち一覧表示７６の一例を示す図である。
一覧表示７６には、検索条件ペイン７１で指定された検索結果が日付昇順でソートされて、５件毎に区分されて表示されている。検索結果は定休日や休日、データの有無に関係なく、すべての日が対象となる。これは，入力忘れ等で実際は営業していたのにリストに出ず、編集できない事態を防ぐためである。ここでは、５月の３１日分（３１件）の情報が７ページに分けて格納されている。７ページ分の情報は、ページ数ボタンまたは前へボタンと次へボタンによってページを切り替えて閲覧可能である。また、表示中のページについて、該当するページ数ボタンは強調表示されるとともに、表示中のリストが全検索結果のうち何件目のデータを含んでいるかが表示される。
一覧表示７６は、日付欄、売上欄、従業員数欄、重要欄、「いいね」欄、クレーム欄、天気欄、コメント欄、画像欄、編集欄を含んでいる。そのうち日付欄、売上欄、従業員数欄、重要欄、「いいね」欄、クレーム欄、天気欄、コメント欄には、経営データテーブル（図３参照）の各情報が表示される。画像欄には、図３の経営データテーブルにリンクした画像ファイルのサムネイルが表示される。
【００５２】
なお、５月２日と３日は、検索結果に含まれる日でありながらも、図３の経営データテーブルに情報が格納されていない場合である。このときは、日付欄は表示されるが、売上欄、従業員数欄、重要欄、「いいね」欄、クレーム欄、天気欄、コメント欄はブランク表示となる。
編集欄には、対応する日報に係る日報画面５を呼び出すためのボタンが配置される。これにより、情報を入力していなかった日付に対して、各種情報を入力することができる。
【００５３】
《指標分析表示処理》
続いて、図１１〜図１４を参照して指標分析表示処理について説明する。
図１１は、指標分析画面８のうち経営データ表８２の一例を示す図である。
この指標分析画面８は、日報画面（図４、図６参照）にて分析メニュー４２２が選択されたときに遷移する画面である。
【００５４】
指標分析画面８は、スケールエリアである月次切替ラジオボタン８１１、週次切替ラジオボタン８１２、日次切替ラジオボタン８１３と、グラフ要素エリアである経営データ表８２と、グラフエリアである指標分析グラフ８３（図１２参照）等で構成されている。
スケールエリアを構成する月次切替ラジオボタン８１１、週次切替ラジオボタン８１２、日次切替ラジオボタン８１３は、経営データ表８２、および指標分析グラフ８３のスケールを決定するものであり、デフォルトは週次である。このスケールエリアを操作してスケールを切り替えることで、経営データ表８２と指標分析グラフ８３のスケールを変更可能である。
【００５５】
対象日を２０１６年６月１６日とした場合、日次切替ラジオボタン８１３を選択すると、今回の対象日は同年６月１６日、前回の対象日は同年６月１５日、前年の対象日は２０１５年６月１６日である。
また、週次切替ラジオボタン８１２を選択すると、今回の対象日は同年６月１０日から６月１６日まで、前回の対象日は同年６月３日から６月９日まで、前年の対象日は２０１５年６月１０日から６月１６日までである。
月次切替ラジオボタン８１１を選択すると、今回の対象日は同年６月１日から６月１６日まで、前回の対象日は同年５月１日から５月３１日まで、前年の対象日は２０１５年６月１日から６月１６日までである。
【００５６】
グラフ要素エリアである経営データ表８２には、取得した経営データに基づき算出された「今回」、「前回」、「前年」の経営データの具体的な数値が表示され、更に「目標」、「他店平均」が表示されている。
「今回」は、指定されたスケールにおける今回の各種指標を示しており、ここでは「週次」が指定されているので、２０１６年５月９日から同年５月１５日までの指標が示されている。
「前回」は、指定されたスケールにおける前回の各種指標を示しており、ここでは「週次」が指定されているので、２０１６年５月２日から同年５月８日までの指標が示されている。
「前年」は、「今回」の期間に対応する前年の同期間の各種指標を示しており、ここでは「週次」が指定されているので、２０１５年５月９日から同年５月１５日までの指標が示されている。
【００５７】
「目標」は、各経営データの目標値を示している。
「他店平均」は、「今回」と同じ期間における、予め登録されたユーザの業種と同一業種の経営データの平均値を示している。
【００５８】
《売上の計算方法》
対象が「売上」であり、スケールが「日次」ならば、「今回」には対象日の売上値が表示される。「目標」には対象日が休日なら休日売上目標が表示され、対象日が平日ならば平日売上目標が表示される。「前回」には対象日のひとつ前の日の売上値が表示される。「前年」には、１年前の同じ日の売上値が表示される。
スケールが「週次」または「月次」ならば、「今回」には集計期間の売上合計値が表示される。「目標」には、式（１）で示したように、集計期間の休日日数と休日売上目標との積と、集計期間の平日日数と平日売上目標との積の和が表示される。
【数１】
2018022434.tif 000003
【００５９】
「前回」には集計期間の売上合計値が表示される。「前年」には、１年前の同じ集計期間の売上値が表示される。
【００６０】
《客数の計算方法》
対象が「客数」であり、スケールが「日次」ならば、「今回」には対象日の客数が表示される。「目標」には対象日が休日なら休日客数目標が表示され、対象日が平日ならば平日客数目標が表示される。「前回」には対象日のひとつ前の日の客数が表示される。「前年」には、１年前の同じ日の客数が表示される。
スケールが「週次」または「月次」ならば、「今回」には集計期間の客数合計値が表示される。「目標」には、式（２）で示したように、集計期間の休日日数と休日客数目標との積と、集計期間の平日日数と平日客数目標との積の和が表示される。
【数２】
2018022434.tif 000004
【００６１】
「前回」には集計期間の客数合計値が表示される。「前年」には、１年前の同じ集計期間の客数値が表示される。
【００６２】
《客単価の計算方法》
対象が「客単価」であり、スケールが「日次」ならば、「今回」には対象日の客単価が表示される。「目標」には対象日が休日ならば休日客単価目標が表示され、対象日が平日ならば平日客単価目標が表示される。「前回」には対象日のひとつ前の日の客単価が表示される。「前年」には、１年前の同じ日の客単価が表示される。
スケールが「週次」または「月次」ならば、「今回」には集計期間の客単価合計値を集計日数で除算した値が表示される。「目標」には、式（３）で示したように、集計期間の休日日数と休日客単価目標との積と、集計期間の平日日数と平日客単価目標との積の和を、更に集計日数で除算した値が表示される。なお、集計日数は、集計期間の休日日数と平日日数との和で計算してもよい。
【数３】
2018022434.tif 000005
【００６３】
「前回」には集計期間の客単価合計値を集計日数で除算した値が表示される。「前年」には、１年前の同じ集計期間の客単価合計値を集計日数で除算した値が表示される。
【００６４】
《客席回転数の計算方法》
対象が「客席回転数」であり、スケールが「日次」ならば、「今回」には対象日の客席回転数が表示される。「目標」には対象日が休日なら休日客数目標を客席数で除算した値が表示され、対象日が平日ならば平日客数目標を客席数で除算した値が表示される。「前回」には対象日のひとつ前の日の客席回転数が表示される。「前年」には、１年前の同じ日の客席回転数が表示される。
スケールが「週次」または「月次」ならば、「今回」には集計期間の客席回転数合計値を集計日数で除算した値が表示される。「目標」には、式（４）で示したように、集計期間の休日日数と休日客数目標との積と、集計期間の平日日数と平日客数目標との積の和を、集計日数と客席数とで除算した値が表示される。
【数４】
2018022434.tif 000006
【００６５】
「前回」には集計期間の客席回転数合計値を集計日数で除算した値が表示される。「前年」には、１年前の同じ集計期間の客席回転数合計値を集計日数で除算した値が表示される。
【００６６】
《坪売上の計算方法》
図示していないが、対象が「坪売上」であり、スケールが「日次」ならば、「今回」には対象日の坪売上が表示される。「目標」には対象日が休日なら休日売上目標を坪数で除算した値が表示され、対象日が平日ならば平日売上目標を坪数で除算した値が表示される。「前回」には対象日のひとつ前の日の坪売上が表示される。「前年」には、１年前の同じ日の坪売上が表示される。
スケールが「週次」または「月次」ならば、「今回」には集計期間の坪売上合計値を集計日数で除算した値が表示される。「目標」には、式（５）で示したように、集計期間の休日日数と休日売上目標との積と、集計期間の平日日数と平日売上目標との積の和を、集計日数と坪数とで除算した値が表示される。
【数５】
2018022434.tif 000007
【００６７】
「前回」には集計期間の坪売上合計値を集計日数で除算した値が表示される。「前年」には、１年前の同じ集計期間の坪売上合計値を集計日数で除算した値が表示される。
【００６８】
《原価の計算方法》
対象が「原価」であり、スケールが「日次」ならば、「今回」には対象日の仕入れと経費との和が表示される。「目標」には対象日が休日なら休日売上目標と目標原価率との積が表示され、対象日が平日ならば平日売上目標と目標原価率との積が表示される。「前回」には対象日のひとつ前の日の仕入れと経費との和が表示される。「前年」には、１年前の同じ日の仕入れと経費との和が表示される。
スケールが「週次」または「月次」ならば、「今回」には集計期間の仕入れと経費合計値との和が表示される。「目標」には、式（６）で示したように、集計期間の休日日数と休日売上目標との積と、集計期間の平日日数と平日売上目標との積の和に、目標原価率を１００で除算した値を乗算して得られた値が表示される。
【数６】
2018022434.tif 000008
【００６９】
「前回」には集計期間の仕入れと経費合計値との和が表示される。「前年」には、１年前の同じ集計期間の仕入れと経費合計値が表示される。
【００７０】
《人件費の計算方法》
対象が「人件費」であり、スケールが「日次」ならば、「今回」には対象日の人件費が表示される。「目標」には目標人件費が表示される。「前回」には対象日のひとつ前の日の人件費が表示される。「前年」には、１年前の同じ日の人件費が表示される。
スケールが「週次」または「月次」ならば、「今回」には集計期間の人件費合計値が表示される。「目標」には集計期間の目標人件費と集計日数との積が表示される。「前回」には集計期間の人件費合計値が表示される。「前年」には、１年前の同じ集計期間の人件費合計値が表示される。
【００７１】
《ＦＬ比率の計算方法》
対象が「ＦＬ比率」であり、スケールが「日次」ならば、「今回」には対象日の仕入れと人件費との和を売上で除算した値が表示される。「目標」には目標ＦＬ比が表示される。「前回」には対象日よりひとつ前の日の仕入れと人件費との和を売上で除算した値が表示される。「前年」には、１年前の同じ日のＦＬ比率が表示される。
スケールが「週次」または「月次」ならば、「今回」には集計期間の仕入れ合計値と人件費合計値との和を売上合計値で除算した値が表示される。「目標」には目標ＦＬ比が表示される。「前回」には集計期間の仕入れ合計値と人件費合計値との和を売上合計値で除算した値が表示される。「前年」には、１年前の同じ集計期間の仕入れ合計値と人件費合計値との和を売上合計値で除算した値が表示される。
【００７２】
《人件費比率の計算方法》
対象が「人件費比率」であり、スケールが「日次」ならば、「今回」には対象日の人件費比率が表示される。「目標」には対象日が休日なら目標人件費を休日売上目標で除算した値が表示され、対象日が平日ならば目標人件費を平日売上目標で除算した値が表示される。「前回」には対象日のひとつ前の日の人件費比率が表示される。「前年」には、１年前の同じ日の人件費比率が表示される。
スケールが「週次」または「月次」ならば、「今回」には集計期間の人件費比率合計値を集計日数で除算した値が表示される。「目標」には、式（７）で示したように、目標人件費と集計日数の積を、集計期間の休日日数と休日売上目標との積および集計期間の平日日数と平日売上目標との積との和で除算して、更に１００を掛けた値が表示される。
【数７】
2018022434.tif 000009
【００７３】
「前回」には集計期間の人件費比率合計値を集計日数で除算した値が表示される。「前年」には、１年前の同じ集計期間の人件費比率合計値を集計日数で除算した値が表示される。
【００７４】
《粗利の計算方法》
対象が「粗利」であり、スケールが「日次」ならば、「今回」には対象日の粗利が表示される。「目標」には対象日が休日ならば、１から目標原価率を減算して休日売上目標を乗算した値が表示され、対象日が平日ならば、１から目標原価率を減算して平日売上目標を乗算した値が表示される。「前回」には対象日のひとつ前の日の粗利が表示される。「前年」には、１年前の同じ日の粗利が表示される。
スケールが「週次」または「月次」ならば、「今回」には集計期間の粗利合計値が表示される。「目標」には、式（８）で示したように、集計期間の休日日数と休日売上目標との積および集計期間の平日日数と平日売上目標との積の和を乗算した値に、１００から目標原価率を減算して１００で除算した値が掛けられた値が表示される。
【数８】
2018022434.tif 000010
【００７５】
「前回」には集計期間の粗利合計値が表示される。「前年」には、１年前の同じ集計期間の粗利合計値が表示される。
【００７６】
「目標」、「前回」、「前年」の欄には、各経営データの数値に隣接して白丸または黒丸が表示され、「今回」の経営データとの比較結果が示されている。すなわち、白丸は、「今回」の経営データが「目標」、「前回」、「前年」と比較して優れていることを示している。黒丸は、「今回」の経営データが「目標」、「前回」、「前年」と比較して劣っていることを示している。
【００７７】
経営データ表８２は、ラジオボタン８２１〜８２９を含んで構成される。ラジオボタン８２１は、「売上」を指標分析グラフ８３の対象値とするものである。ラジオボタン８２２は、「客数」を指標分析グラフ８３の対象値とするものである。ラジオボタン８２３は、「客単価」を指標分析グラフ８３の対象値とするものである。
【００７８】
ラジオボタン８２４は、「客席回転数」を指標分析グラフ８３の対象値とするものである。ラジオボタン８２５は、「原価」を指標分析グラフ８３の対象値とするものである。ラジオボタン８２６は、「人件費」を指標分析グラフ８３の対象値とするものである。
【００７９】
ラジオボタン８２７は、「人時売上高」を指標分析グラフ８３の対象値とするものである。ラジオボタン８２８は、「ＦＬ比率」を指標分析グラフ８３の対象値とするものである。ラジオボタン８２９は、「粗利」を指標分析グラフ８３の対象値とするものである。
なお、ここでは飲食店に向けた項目が表示されているが、飲食店以外の業種では、「客席回転数」の代わりに「坪売上」の項目を表示し、「ＦＬ比率」の代わりに「人件費比率」の項目を表示するとよい。
【００８０】
図１２は、指標分析画面８のうち指標分析グラフ８３の一例を示す図である。
指標分析グラフ８３には、対象値である「売上」を縦軸、日付を横軸とし、今回の時系列的な推移を示した今回プロット８３１に重ねて、前年の同日における時系列的な推移を示した前年プロット８３２と、各日付の目標値を示した目標プロット８３３とが表示されている。この指標分析グラフ８３において、今回プロット８３１は実線で、前年プロット８３２は破線で、目標プロット８３３は太実線で表示されている。
更に、グラフ８３の上にはマウスカーソル８６が表示されている。このマウスカーソル８６は、６月２７日（月）を指し示している。更に、この６月２７日において今回プロット８３１のマーカと、前年プロット８３２のマーカが強調表示される。ＣＰＵ２１は、このマウスカーソル８６を、ユーザ操作に応じて今回プロット８３１上を、この今回プロット８３１に沿って移動するように表示する。
ＣＰＵ２１は、時系列情報の着目期間を示す今回プロット８３１（第１推移グラフ）と、この時系列情報の着目期間の１周期前である対比期間を示す前年プロット８３２（第２推移グラフ）とが、着目期間の日付とこの日付の１年前に対応する対比期間の日付とが同じ位置となるように、並べられた指標分析グラフ８３を表示させるグラフ表示制御手段として動作する。
【００８１】
図１１に示す例では、直近の週次の経営データの今回プロット８３１に重ねて、前年プロット８３２と目標プロット８３３とが表示されている。ユーザが月次切替ラジオボタン８１１または日次切替ラジオボタン８１３を選択した場合には、月次または日次の経営データを示す指標分析グラフ８３が再表示される。また、その場合に、ユーザが週次切替ラジオボタン８１２を選択した場合には、週次の経営データを示す指標分析グラフ８３が再表示される。
【００８２】
また、スライドバー８３４の操作に応じて、グラフ表示する期間を変更することも可能となっている。スライドバー８３４の全体は、過去の５２週間と未来の４週間を示している。このスライドバー８３４のスライダー８３４１は、グラフ表示期間の始期を示している。スライドバー８３４のスライダー８３４２は、グラフ表示期間の終期を示している。
【００８３】
これらスライダー８３４１，８３４２を操作することで、過去の５２週間と未来の４週間のうち、任意の期間を表示させることができる。なお、過去の５２週間には、今回プロット８３１と前年プロット８３２と目標プロット８３３が表示される。未来の４週間には、前年プロット８３２と目標プロット８３３が表示される。この４週間における前年プロット８３２は、実際には過去の４８週目から５２週目までの経営データである。
【００８４】
つまり、この指標分析グラフ８３には、時系列情報である経営データの現周期の推移を示す今回プロット８３１に重ねて、前年である前周期の推移を示す前年プロット８３２を、今年の日付と前年の日付の時間軸成分が同じ位置となるように並べて表示される。更にこの指標分析グラフ８３は、この現周期における４週間先の未来に対応する部分を含んで画面表示されている。
これを換言すると、この指標分析グラフ８３には、時系列情報である経営データの着目期間の時系列的な推移を示す今回プロット８３１に重ねて、この着目期間における４週間先の未来に対応する部分を含む対比期間である時系列的な推移を示す前年プロット８３２を画面表示するともいえる。なお、ここで対比期間は、着目期間の１周期前に対応している。ＣＰＵ２１は、この指標分析グラフ８３を表示させるグラフ表示制御手段として動作する。
【００８５】
コメント欄８４は、指標分析グラフ８３の今回プロット８３１がマウスオーパされたときに表示されるマウスカーソル８６が示す日付のコメントを表示するものである。ＣＰＵ２１は、ユーザ操作に応じてマウスカーソル８６が今回プロット８３１上を、この今回プロット８３１に沿って移動するようにマウスカーソル８６を表示させるカーソル表示制御手段として動作する。更にマウスカーソル８６が示す日付において、今回プロット８３１と前年プロット８３２のマーカが大きく表示される。これにより、コメント欄８４に表示される日付を認識可能である。
１行目には今回のコメントが表示されており、２行目には前年の対応日におけるコメントが表示されている。これにより、１年周期のイベントが発生したとき、例えばクリスマスや国民の祝日などに応じた周期的な事象に係るコメントを１周期前と比較することができる。ＣＰＵ２１は、このコメント欄８４を表示させるコメント表示制御手段として動作する。
【００８６】
推移選択ラジオボタン８５は、グラフの集計方法を単純推移と、当月累計推移のうちいずれにするかを選択するものであり、デフォルトは単純推移である。なお、この推移選択ラジオボタン８５は、指標分析グラフ８３の対象値として「売上」、「客数」、「原価」、「人件費」、「粗利」が表示されているときに限り表示される。それ以外の項目は、累計値が意味を持たないためである。
【００８７】
図１３は、サーバにより行われる指標分析表示処理の一例を示すフローチャートである。
図１３に示すように、サーバ装置２のＣＰＵ２１は、通信部２６により、ユーザ端末３からの指標分析画面８へのアクセス要求が受信されると、週次をスケールとして指標分析表示処理を開始する（ステップＳ３０）。ＣＰＵ２１は、指標分析グラフ８３の表示対象を「売上」として（ステップＳ３１）、選択したスケールに応じたグラフ期間を設定する（ステップＳ３２）。
ＣＰＵ２１は、記憶部２５から、指標分析画面８に表示する経営データを取得する。ＣＰＵ２１は、経営データから表示対象の情報を生成し（ステップＳ３３）、指標分析グラフ８３に今回プロット８３１と、前年の対応日における前年プロット８３２、目標プロット８３３を重ねて表示する（ステップＳ３４）。
【００８８】
次に、サーバ装置２のＣＰＵ２１は、ユーザ端末３からの操作入力を待つ（ステップＳ３５）。例えば、ユーザによりユーザ端末３を介して指標分析グラフ８３の日付のうちいずれかがマウスオーパされたならば、ＣＰＵ２１は、今回の日付のコメントと前年の同日付のコメントとを表示し（ステップＳ３６）、ステップＳ３５においてユーザ端末３からの操作入力を待つ。
【００８９】
ユーザの操作により、月次切替ラジオボタン８１１、週次切替ラジオボタン８１２、日次切替ラジオボタン８１３のいずれかが選択された場合には（ステップＳ３５→スケール選択）、ステップＳ３２の処理に戻る。ＣＰＵ２１は、スケールに応じたグラフ期間を設定し、（ステップＳ３２）、表示対象の経営データを再取得して（ステップＳ３３）、指標分析グラフ８３を再表示する（ステップＳ３４）。
【００９０】
また、ユーザの操作により、スライダー８３４１，８３４２が操作されると、グラフ期間が設定され（ステップＳ３７）、ステップＳ３３の処理に戻る。ＣＰＵ２１は、表示対象の経営データを再取得し（ステップＳ３３）、指標分析グラフ８３を再表示する（ステップＳ３４）。
スライダー８３４１を左方向に操作すると、前年の経営データと今回の経営データとがどのくらい類似しているかを知ることができる。またスライダー８３４２を右方向に操作すると、前年の経営データのうち対応日よりも未来の日々の経営データを知ることができる。前年の経営データと今回の経営データの類似度が高いならは、前年の経営データのうち対応日よりも未来の日々、例えば５２週前から４８週前までの期間の経営データにより、現在から４週間先の未来までの経営データを予測可能であり、その予測に基づいて経営の改善策を考察しやすくなる。この指標分析グラフ８３の概念については、後記する図１４で詳細に説明する。
【００９１】
更にユーザの操作により、新たな表示対象が選択されると、ステップＳ３３の処理に戻る。ＣＰＵ２１は、表示対象の経営データを再取得し（ステップＳ３３）、指標分析グラフ８３を再表示する（ステップＳ３４）。これにより、ユーザは図示例の「売上」だけでなく、他の経営データのグラフも確認して、更に考察を行うことができる。
【００９２】
図１４は、指標分析グラフ８３の概念を示す図である。
目標グラフは目標プロット８３３（図１３参照）に相当する。直近グラフは今回プロット８３１（図１３参照）に相当する。過去グラフは前年プロット８３２に相当する。
現在は対象日であり、この対象日を２０１６年３月１０日とする。このとき、目標グラフと過去グラフは、３月１０日から４月７日までの４週間分の経営データを有している。但し実際に過去グラフに格納されているのは、その１年前に対応する２０１５年３月１０日から２０１５年４月７日までの情報である。
【００９３】
更に直近グラフは、２０１５年３月１１日から２０１６年３月１０日までの経営データを有している。目標グラフと過去グラフも同様に、３月１１日から３月１０日までのデータを有している。但し過去グラフに格納されているのは、２０１４年３月１１日から２０１５年３月１０日までのデータである。
【００９４】
これをプロットしたグラフを、過去グラフの下側に示している。
直近プロット９１は、過去の５２週間に亘って表示されている。これに対して過去プロット９２と目標プロット９３は、過去の５２週間に加えて未来の４週間に亘って表示されている。このように、１周期前の経営データと比較しつつ、その１周期前の経営データがどのように変化したかを確認することで、未来の経営データの変化を予測することができる。
【００９５】
（変形例）
本発明は、上記実施形態に限定されることなく、本発明の趣旨を逸脱しない範囲で、変更実施が可能であり、例えば、次の（ａ）〜（ｈ）のようなものがある。
（ａ）  上記実施形態において、サーバ装置２は、ユーザ端末３を介して経営データやコメント情報等が入力され、各種表示画面をユーザ端末３に表示させるものとしたが、これに限られるものではない。例えば、サーバ装置２の操作入力部２２から経営データやコメント情報等が直接的に入力され、各種表示画面を表示部２４に表示させるものとしてもよい。また、ユーザが使用するユーザ端末３等が同様に構成されて、経営支援装置として機能するものとしてもよい。
【００９６】
（ｂ）  上記実施形態において、重要度情報は、ユーザの選択により３段階でランク付けされた重要度を示すものとしたが、これに限られるものではない。例えば、重要であるか・重要でないかの２段階でランク付けされるものであってもよいし、４以上の段階でランク付けされるものであってもよい。また、サーバ装置２が、ユーザの操作に応じて、重要度情報の重要度が任意にカスタマイズ可能に構成されていてもよい。
【００９７】
（ｃ）  上記実施形態では、コメント情報とともに入力され、表示される付加情報として、画像データおよびＰＯＰデータの少なくとも一方を含むものとしたが、これに限られるものではなく、例えば、文書データや図形データや動画データ等を含むものであってもよい。
【００９８】
（ｄ）  上記実施形態では、「今日の出来事」エリア５８に、「雨」チェックボックス５８４が表示されているものとしたが、その代わりに、天候を入力する天候入力メニュー等が表示されていてもよい。また、所定の日付の「雨」チェックボックス５８４にチェックが入れられた場合には、指標分析グラフ８３において、例えば、この日付に相当する領域のプロットの色やマーク等を変更するものとしてもよい。この場合には、指標分析グラフ８３を確認するユーザが天候を併せて確認することができ、経営の考察をより行いやすくすることができる。
【００９９】
（ｅ）  上記実施形態では、指標分析画面８に経営データ表８２が表示されているものとしたが、指標分析画面８には経営データ表８２は表示されていなくてもよい。また、経営データ表８２には、「今回」、「目標」、「前回」、「前年」、「他店平均」の欄が表示されているものとしたが、これらに限られるものではない。例えば、これらに代えて、またはこれらに加えて「前々回」、「今月」、「先月」、「本日」、「昨日」欄等が表示されていてもよいし、これらのうちいずれかのみが表示されているものとしてもよい。また、経営データ表８２には、「売上」、「客数」、「客単価」、「客席回転数」、「原価」、「人件費」、「人時売上高」、「ＦＬ比率」、「粗利」の経営データが表示されているものとしたが、これらに限られるものではない。例えば、これら以外の経営データが表示されているものとしてもよいし、これらのうちのいずれかのみが表示されているものとしてもよい。
【０１００】
（ｆ）  上記実施形態では、ユーザにより指標分析グラフ８３が選択されたときに、入力されたコメント情報がコメント欄８４に表示されるものとしたが、指標分析グラフ８３上にバルーン表示でコメント情報が表示されるものであってもよい。
【０１０１】
（ｇ）  上記実施形態では、過去グラフおよび過去プロット９２は１年前のものとした。しかし、これに限られず、過去プロットは１四半期前、１月前、１週間前、１日前のいずれであってもよく、限定されない。更に、過去プロット９２と目標プロット９３は未来の４週間のデータを有することとしたが、任意期間のデータを有していてもよい。
【０１０２】
（ｈ）  上記実施形態では、経営分析システムについて記載したが、これに限られず、任意の時系列情報を表示するシステムに適用してもよい。
【０１０３】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
時系列情報の現周期を示す現推移グラフと当該時系列情報の前周期を示す前推移グラフとが、前記現周期の時間軸成分と当該時間軸成分の１周期前に対応する前記前周期の時間軸成分とが同じ位置となるように、並べられた比較グラフを表示させるグラフ表示制御手段を備え、
前記グラフ表示制御手段は、前記前推移グラフを、当該現周期における未来に対応する部分を含んで表示させる、
ことを特徴とする情報表示システム。
《請求項２》
ユーザ操作に応じてカーソルが前記現推移グラフ上を該現推移グラフに沿って移動するように前記カーソルを表示させるカーソル表示制御手段と、
前記現推移グラフの時間軸成分毎に対応付けて記憶されている現コメント情報と前記前推移グラフの時間軸成分毎に対応付けて記憶されている前コメント情報とを同一画面上に表示させるコメント表示制御手段と、を備え、
前記コメント表示制御手段は、前記カーソルの表示位置に対応した時間軸成分に対応付けられている前記現コメント情報と前記前コメント情報とを表示させる、
ことを特徴とする請求項１に記載の情報表示システム。
《請求項３》
前記時系列情報および当該時系列情報の時間軸成分毎に対応付けられたコメント情報とを記憶する記憶手段と、
前記時系列情報と、前記コメント情報を入力するためのコメント入力欄とを画面表示し、前記コメント入力欄に入力された前記コメント情報を前記記憶手段に記憶させる表示制御手段と、を備える、
ことを特徴とする請求項２に記載の情報表示システム。
《請求項４》
前記記憶手段は、前記コメント情報の属性を示す属性情報を記憶し、
前記表示制御手段は、前記現コメント情報に加えて、前記属性情報を表示し、前記前コメント情報に加えて、前記属性情報を表示する、
ことを特徴とする請求項３に記載の情報表示システム。
《請求項５》
時系列情報の着目期間を示す第１推移グラフと当該時系列情報の当該着目期間の１周期前である対比期間を示す第２推移グラフとが、前記着目期間の時間軸成分と当該時間軸成分の１周期前に対応する前記対比期間の時間軸成分とが同じ位置となるように、並べられた比較グラフを表示させるグラフ表示制御手段を備え、
前記グラフ表示制御手段は、前記第２推移グラフを、当該着目期間における未来に対応する部分を含んで表示させる、
ことを特徴とする情報表示システム。
《請求項６》
ユーザ操作に応じてカーソルが前記第１推移グラフ上を該第１推移グラフに沿って移動するように前記カーソルを表示させるカーソル表示制御手段と、
前記第１推移グラフの時間軸成分毎に対応付けて記憶されている第１コメント情報と前記第２推移グラフの時間軸成分毎に対応付けて記憶されている第２コメント情報とを同一画面上に表示させるコメント表示制御手段と、を備え、
前記コメント表示制御手段は、前記カーソルの表示位置に対応した時間軸成分に対応付けられている前記第１コメント情報と前記第２コメント情報とを表示させる、
ことを特徴とする請求項５に記載の情報表示システム。
《請求項７》
前記時系列情報および当該時系列情報の時間軸成分毎に対応付けられたコメント情報とを記憶する記憶手段と、
前記時系列情報と、前記コメント情報を入力するためのコメント入力欄とを画面表示し、前記コメント入力欄に入力された前記コメント情報を前記記憶手段に記憶させる表示制御手段と、を備える、
ことを特徴とする請求項６に記載の情報表示システム。
《請求項８》
前記記憶手段は、前記コメント情報の属性を示す属性情報を記憶し、
前記表示制御手段は、前記第１コメント情報に加えて、前記属性情報を表示し、前記第２コメント情報に加えて、前記属性情報を表示する、
ことを特徴とする請求項７に記載の情報表示システム。
《請求項９》
コンピュータを、
時系列情報の現周期を示す現推移グラフと当該時系列情報の前周期を示す前推移グラフとが、前記現周期の時間軸成分と当該時間軸成分の１周期前に対応する前記前周期の時間軸成分とが同じ位置となるように、並べられた比較グラフを表示させると共に、前記前推移グラフを、当該現周期における未来に対応する部分を含んで表示させるグラフ表示制御手段、
として機能させるためのプログラム。
【符号の説明】
【０１０４】
１  経営支援システム
２  サーバ装置
２１  ＣＰＵ
２２  操作入力部
２３  ＲＡＭ
２４  表示部
２５  記憶部
２６  通信部
２７  計時部
２８  バス
３，３ａ〜３ｄ  ユーザ端末
３１  印刷装置
４１  アイコン領域
４２  メニュー領域
４２１  実績メニュー
４２２  分析メニュー
５，５Ａ，５Ｂ  日報画面
５４  一覧表示ボタン
５５  日付選択ボタン
５６  給与ペイン
５７  店舗実績ペイン
５８  「今日の出来事」ペイン
６，６Ａ，６Ｂ  日報プリント
７  一覧表示画面
７１  検索条件ペイン
７３  検索ボタン
７４  クリアボタン
７５  検索オプションボタン
７６  一覧表示
８  指標分析画面
８１１  月次切替ラジオボタン
８１２  週次切替ラジオボタン
８１３  日次切替ラジオボタン
８２  経営データ表
８２１〜８２９  ラジオボタン
８３  指標分析グラフ  （グラフ表示制御手段の一部）
８３１  今回プロット  （現推移グラフ、第１推移グラフ）
８３２  前年プロット  （前推移グラフ、第２推移グラフ）
８３３  目標プロット
８３４  スライドバー
８３４１  スライダー
８３４２  スライダー
８４  コメント欄  （コメント表示制御手段の一部）
８５  推移選択ラジオボタン
９１  直近プロット  （現推移グラフ、第１推移グラフ）
９２  過去プロット  （前推移グラフ、第２推移グラフ）
９３  目標プロット
Ｎ  通信ネットワーク
【図１】
2018022434.tif 000011
【図２】
2018022434.tif 000012
【図３】
2018022434.tif 000013
【図４】
2018022434.tif 000014
【図５】
2018022434.tif 000015
【図６】
2018022434.tif 000016
【図７】
2018022434.tif 000017
【図８】
2018022434.tif 000018
【図９】
2018022434.tif 000019
【図１０】
2018022434.tif 000020
【図１１】
2018022434.tif 000021
【図１２】
2018022434.tif 000022
【図１３】
2018022434.tif 000023
【図１４】
2018022434.tif 000024